(57)【要約】      （修正有）【課題】圧力を受けて敏感に反応し、孔部を塞ぐ動作を達成するスプレー装置を提供する。【解決手段】中空管部とした押し圧桿２と、該押し圧桿の該中空管部に挿設する弾性体３と、貫通孔４１を形成して該押し圧桿を挿入するキャップ部４と、外周面に軸方向に沿って複数のガイド溝を形成し、かつ該中空管部内に挿入される柱状部を一端とし、他端には外周に沿って当止突縁部を形成した連結桿５と、該連結桿を挿入する挿入孔を形成し、一端には該当止突縁部と気密状態で接し、かつ該弾性体の付勢力によって往復運動をするピストン６と、中空で、内径が一端に向かって縮減して収納するシリンダー室を形成した上端部７１と、内部に流通路と接続口を形成した下端部７２とを形成してなるシリンダー７と、螺旋状を呈し、上端に通過孔を形成して第１端部８１とし、下端を第２端部８２とし、かつ該第１端部と該第２端部との間に該流通路を閉塞させる閉塞部８２１を設けた弾性弁８とを具える。【選択図】図２
0003160439.tif 000002
【実用新案登録請求の範囲】
【請求項１】
液体を噴出するノズルを設けるとともに、内部に出力管を具える押し圧部と、
中空の管体で、該押し圧部に当接する鍔部を一端に形成し、他端は内部を液体が流れる中空管部とした押し圧桿と、
該押し圧桿の中空管部に挿設し、付勢力を与える弾性体と、
貫通孔を形成して該押し圧桿を挿入するキャップ部と、
外周面に軸方向に沿って複数のガイド溝を形成し、かつ該中空管部内に挿入される柱状部を一端とし、他端には外周に沿って当止突縁部を形成した連結桿と、
該連結桿を挿入する挿入孔を形成するとともに、一端には該当止突縁部と気密状態で接し、かつ該弾性体の付勢力によって往復運動をするピストンと、
中空で、内径が一端に向かって縮減して内径が下端に比して大きく該ピストンと該連結桿を収納するシリンダー室を形成した上端部と、内径が上端に比して小さく内部に流通路と接続口を形成した下端部とを形成してなるシリンダーと、
螺旋状を呈し、上端に通過孔を形成して第１端部とし、下端を第２端部とし、かつ該第１端部と該第２端部との間に該流通路を閉塞させる閉塞部を設けて、該閉塞部が流通路に対して、上方に移動して閉塞し、下方に移動して開放する往復運動をする弾性弁と、を具えることを特徴とするスプレー装置。
【請求項２】
前記スプレー装置が、液体を収納する容器の口部に設けて前記スプレー装置を該容器に固定する固定部材をさらに具えることを特徴とする請求項１に記載のスプレー装置。
【請求項３】
前記固定部材に、前記容器の口部に密接するパッキン部材を設けることを特徴とする請求項２に記載のスプレー装置。
【請求項４】
前記シリンダーの下端部には、容器に向かって延伸する吸入管を設けることを特徴とする請求項１に記載のスプレー装置。
【考案の詳細な説明】
【技術分野】
【０００１】
この考案は、乳液、香水などの液体を噴霧するスプレー装置に関する。
【背景技術】
【０００２】
図１に開示する従来のスプレー装置１００は、ノズル１０１ａを具えるスプレーヘッド１０１の下方にスリーブ１０２を設け、スリーブ１０２内に、スリーブ１０２内を経て外部に至る吸引管１０３を設ける。吸引管１０３の一端には錐体状管１０４を嵌設する。錐体状管１０４の一端にはベース管１０５を挿設する。ベース管１０５の外周面の対向する位置には、それぞれ孔１０５ａを穿設する。孔１０５ａはベース管１０５を挿設した場合に錐体状管１０４によって覆われる位置に穿設する。ベース管１０５の一端に弾性体１０６を設け、さらに弾性体１０６の一端に球体１０７を設ける。
【０００３】
別途、収納管１０８を設ける。収納管１０８内部には一端から吸引管１０３、錐体状管１０４、ベース管１０５、弾性体１０５及び球体１０７の順で収納する。さらに、収納管１０７の一端には吸入管１０９を設ける。
【０００４】
上述する構造によれば、該スプレー装置１００を使用する場合、スプレーヘッド１０１を押し圧すると、容器内の空気が瞬時にプレーヘッド１０１に向かいノズル１０１ａから噴出される。同時に、サイホン効果によってスプレー装置内の乳液、もしくは香水が空気とともに吸入管１０９から収納管１０８内に進入する。この場合弾性体１０６の弾力によってベース管１０５の一端に球体１０７が圧接し、球体１０７が収納管１０８内の孔を塞ぐ。
【０００５】
上述する状態において、さらに、ベース管１０５と錐体状管１０４との間に隙間が発生し、収納管１０８内の乳液、もしくは香水が該隙間に沿ってベース管１０５の外周面に形成した孔１０５ａからベース管１０５内に進入し、さらに吸引管１０３を経て乳液、もしくは香水がスプレーヘッド１０８のノズル１０１ａから噴出する。
【０００６】
スプレーヘッド１０１の押し圧を開放すると、収納管１０８内の乳液、もしくは香水は逆方向にながれて容器内に戻る。
【０００７】
上述する従来のスプレー装置１００の構造は、乳液、もしくは香水を噴霧する効果が得られるが、但し、プラスチック材などで射出成型する場合、ベース管１０５の外周面に形成した１０５ａを生計材料が通過する際にバリが容易に発生する。係る欠点は、製造時の組み立て工程の難度に影響を与え、歩留まりの低下に繋がる。
【０００８】
また、球体１０７が金属材によってなるため弾性に欠ける。よって、球体１０７が敏感に反応して収納管１０８の孔を塞ぐ動作ができない。従来のスプレー装置の構造は、これら欠点を改善する必要がある。
【考案の概要】
【考案が解決しようとする課題】
【０００９】
この考案は、生産の工程において、射出成型時のバリの発生を抑え、歩留まりの低下を抑えることのできるスプレー装置を提供することを課題とする。
【００１０】
また、この考案は、圧力を受けて敏感に反応し、孔部を塞ぐ動作を達成するスプレー装置を提供することを課題とする。
【課題を解決するための手段】
【００１１】
そこで、本考案者は従来のスプレー装置に見られる欠点に鑑み鋭意研究を重ねた結果、ノズルを設け、内部に出力管を具える押し圧部と、中空の管体で、該押し圧部に当接する鍔部を一端に形成し、他端は中空管部とした押し圧桿と、該押し圧桿の該中空管部に挿設する弾性体と、貫通孔を形成して該押し圧桿を挿入するキャップ部と。外周面に軸方向に沿って複数のガイド溝を形成し、かつ該中空管部内に挿入される柱状部を一端とし、他端には外周に沿って当止突縁部を形成した連結桿と、該連結桿を挿入する挿入孔を形成し、一端には該当止突縁部と気密状態で接し、かつ該弾性体の付勢力によって往復運動をするピストンと、中空で、内径が一端に向かって縮減して収納するシリンダー室を形成した上端部と、内部に流通路と接続口を形成した下端部とを形成してなるシリンダーと、螺旋状を呈し、上端に通過孔を形成して第１端部とし、下端を第２端部とし、かつ該第１端部と該第２端部との間に該流通路を閉塞させる閉塞部を設けた弾性弁と、を具えるスプレー装置によって課題を解決できる点に着眼し、係る知見に基づいて本考案を完成させた。
【００１２】
以下、この考案について詳述する。
請求項１に記載するスプレー装置は、液体を噴出するノズルを設けるとともに、内部に出力管を具える押し圧部と、
中空の管体で、該押し圧部に当接する鍔部を一端に形成し、他端は内部を液体が流れる中空管部とした押し圧桿と、
該押し圧桿の中空管部に挿設し、付勢力を与える弾性体と、
貫通孔を形成して該押し圧桿を挿入するキャップ部と、
外周面に軸方向に沿って複数のガイド溝を形成し、かつ該中空管部内に挿入される柱状部を一端とし、他端には外周に沿って当止突縁部を形成した連結桿と、
該連結桿を挿入する挿入孔を形成するとともに、一端には該当止突縁部と気密状態で接し、かつ該弾性体の付勢力によって往復運動をするピストンと、
中空で、内径が一端に向かって縮減して内径が下端に比して大きく該ピストンと該連結桿を収納するシリンダー室を形成した上端部と、内径が上端に比して小さく内部に流通路と接続口を形成した下端部とを形成してなるシリンダーと、
螺旋状を呈し、上端に通過孔を形成して第１端部とし、下端を第２端部とし、かつ該第１端部と該第２端部との間に該流通路を閉塞させる閉塞部を設けて、該閉塞部が流通路に対して、上方に移動して閉塞し、下方に移動して開放する往復運動をする弾性弁と、を具える。
【００１３】
請求項２に記載するスプレー装置は、請求項１におけるスプレー装置が、液体を収納する容器の口部に設けて該スプレー装置を該容器に固定する固定部材をさらに具える。
【００１４】
請求項３に記載するスプレー装置は、請求項２における固定部材に、前記容器の口部に密接するパッキン部材を設ける。
【００１５】
請求項４に記載するスプレー装置は、請求項１におけるシリンダーの下端部には、容器に向かって延伸する吸入管を設ける。
【考案を実施するための形態】
【００１６】
この考案は歩留まりの低下を抑えることができ、かつ圧力を受けて敏感に反応し、孔部を塞ぐ動作を達成するスプレー装置を提供するものであって、従来のスプレー装置における球体に替わって、伸縮する弾性機能を有する弾性弁を設けるとともに、従来のスプレー装置における孔部に替わってガイド溝を形成する。
かかるスプレー装置の構造と特徴を説明するために、具体的な実施例を挙げ、図示を参照にして、以下に詳述する。
【実施例】
【００１７】
図２、３に開示するように、この考案によるスプレー装置１０は、液体を噴出するノズル１１を設けるとともに、内部に出力管１２を具える押し圧部１と、中空の管体で、押し圧１に当接する鍔部２１を一端に形成し、他端は内部を液体が流れる中空管部２２とした押し圧桿２を具える。
【００１８】
また、押し圧桿２の中空管部２２に挿設し、付勢力を与える弾性体３と、貫通孔４１を形成して押し圧桿２を挿入するキャップ部４と、外周面に軸方向に沿って複数のガイド溝５２を形成し、かつ中空管部２２内に挿入される柱状部５１を一端とし、他端には外周に沿って当止突縁部５３を形成した連結桿５とを具える。
【００１９】
また、連結桿５を挿入する挿入孔６１を形成するとともに、一端には当止突縁部５３と気密状態で接し、かつ弾性体３の付勢力によって往復運動をするピストン６を具える。
【００２０】
また、中空で、内径が一端に向かって縮減して内径が下端に比して大きく、ピストン６と連結桿５を収納するシリンダー室７１１を形成した上端部７１と、内径が上端に比して小さく内部に流通路７２１と接続口７２２を形成して、容器２０に向かって延伸する吸入管３０に接続する下端部７２とを形成してなるシリンダー７を具える。
【００２１】
また、螺旋状を呈し、上端に通過孔８４を形成して第１端部８１とし、下端を第２端部８２とし、かつ第２端部８２に流通路７２１を閉塞させる閉塞部８２１を設けるとともに、第１端部８１と第２端部８２との間に設けて閉塞部８２１が流通路７２１に対して、上方に移動して閉塞し、下方に移動動して開放する往復運動をするように構成した弾性弁８を具える。
【００２２】
上述する押し圧部１と、押し圧桿２と、弾性部材３と、キャップ部４と、連結桿５と、ピストン６と、シリンダー７と、弾性弁８とを組み立て、固定部材９を利用して容器２０に連結する。固定部材９はねじ山を形成した筒状の部材であって、容器２０の口部に密接するパッキン部材９１を設けて、固定と、容器２０内の内容物の遺漏を防ぐ。
【００２３】
図４に開示するように、押し圧部１を下方に押し圧すると、押し圧桿２と連結桿５が圧力を受けて順に下方に移動し、同時にシリンダー７の下端の空間を徐々に圧縮して液圧が大きくなり、これにともない弾性弁８の閉塞部８２がシリンダー７の流通路７２１を閉塞する。このためシリンダー７が密閉状態になる
【００２４】
上述する状態において、連結桿５の当止突縁部５３がピストン６から離れ、連結桿５のガイド溝５２を形成した位置がピストン６から離れて出口となり、液体は高圧になり瞬時に中空管部２２及び出力管１２を経由してノズル１１から噴出する。
【００２５】
押し圧部１を押し圧して、液体を噴出させる過程において、弾性バルブ８が弾性を有するため、敏感に反応して迅速に下方に移動して通路を塞ぐ。したがって、敏感な反応で、かつ迅速な往復運動を達成することができる。
【００２６】
図５に開示するように、  押し圧部１に対する圧力を開放すると、弾性体３の付勢力によって押し圧桿２と、連結桿５と押し圧部１が上方に移動し、連結桿５の当止突縁部５３がピストン６に対して気密に圧接して閉塞した状態になる。この場合、シリンダー室７１１内の圧力が外部の環境における圧力に比して低くなる。このためシリンダー７の流通路７２１を閉塞した閉塞部８２１が自然に離れて開放され、弾性弁８の通過孔８４の位置がシリンダー７１１内に進入して、次ぎの押し圧部１の押し圧を待つ状態になる。
【００２７】
この考案によるスプレー装置には、次ぎに掲げる特徴と効果を具える。即ち、従来の球体に替わって、伸縮する弾性機能を有する弾性弁８を設けることによって、敏感に反応して、迅速に流通路７２１を閉塞することができる。即ち、敏感で迅速、かつ安定した往復運動が得られる。
【００２８】
また、連結桿５の外周面に、軸方向に複数のガイド溝を形成することによって、生産過程におけるバリの発生を抑制し、歩留まりを高めることができる。
【００２９】
以上は、この考案の好ましい実施の懈怠であって、この考案の実施の範囲を限定するものではない。よって、当業者がなし得る修正、もしくは変更であって、この考案の精神の下においてなされ、この考案に対して均等の効果を有するものは、いずれもこの考案の実用新安登録請求の範囲に含まれるものとする。
【図面の簡単な説明】
【００３０】
【図１】従来のスプレー装置の構造を示した分解図である。
【図２】この考案によるスプレー装置の構造を示した分解図である。
【図３】この考案によるスプレー装置の構造を示した断面図である。
【図４】この考案によるスプレー装置の動作を示した説明図である。
【図５】この考案によるスプレー装置の動作を示した他の説明図である。
【符号の説明】
【００３１】
１         押し圧部
１０       スプレー装置
１００     スプレー装置
１０１ａ   ノズル
１０１     スプレーヘッド
１０２     スリーブ
１０３     吸引管
１０４     錐体状管
１０５     ベース管
１０５ａ   孔
１０６     弾性体
１０７     球体
１０８     収納管
１０９     吸入管
１１       ノズル
１２       出力管
２         押し圧桿
２０       容器
２１       鍔部
２２       中空管部
３         弾性体
３０       吸入管
４         キャップ部
４１       貫通孔
５         連結桿
５１       柱状部
５２       ガイド溝
５３       当止突縁部
６         ピストン
６１       挿入孔
７         シリンダー
７１       上端部
７１１     シリンダー室
７２       下端部
７２１     流通路
７２２     接続口
８         弾性弁
８１       第１端部
８２       第２端部
８２１     閉塞部
９         固定部材
９１       パッキン部材
【図１】
0003160439.tif 000003
【図２】
0003160439.tif 000004
【図３】
0003160439.tif 000005
【図４】
0003160439.tif 000006
【図５】
0003160439.tif 000007